(57)【要約】【課題】  身体の腰部に、放射線と遠赤外線とによる放射線ホルミシス効果と遠赤外線効果とを及ぼすとともに、同時に発生するマイナスイオンによる精神的な爽快効果を発揮することができる快適バンドを提供する。【解決手段】  身体Ｍの胴部Ｍ１に巻き付けて留めることができる伸縮性のゴム入り布バンド１０と、ゴム入り布バンド１０の中間部に形成する収納ポケット１３と、収納ポケット１３に収納する低放射性のマイナスイオン発生シート２０とを備える。低放射性のマイナスイオン発生シート２０は、遠赤外線およびマイナスイオンを発生する珪素系のセラミックスと、低線量の放射線を発生する放射性希土類元素含有鉱物とを含有する。【選択図】  図３
0003109707.tif 000002
【実用新案登録請求の範囲】
【請求項１】
身体の胴部に巻き付ける伸縮性のゴム入り布バンドと、該ゴム入り布バンドの両端部に縫着する面ファスナと、ゴム入り布バンドの中間部に形成する収納ポケットと、低放射性のマイナスイオン発生組成物を含有し該収納ポケットに収納される低放射性のマイナスイオン発生シートとを備えてなり、
前記低放射性のマイナスイオン発生組成物は、珪素系のセラミックス１００重量部と１０〜３０重量部の放射性希土類元素含有鉱物との混合物からなり、
前記低放射性のマイナスイオン発生シートは、可撓性の樹脂ベース１００重量部に対して、２０〜３０重量部の割合で前記低放射性のマイナスイオン発生組成物を含有し、
前記ゴム入り布バンドは、身体の胴部に巻き付けた上、前記面ファスナでゴム入り布バンドの両端を連結することにより、前記収納ポケットに収納した低放射性のマイナスイオン発生シートを身体の胴部の任意の部位に保持可能としてなる快適バンド。
【請求項２】
前記ゴム入り布バンドは、所定間隔で長手方向のゴム糸を省略することによって平行なライン状の通気帯を形成してなる高通気性のゴム入り布バンドであることを特徴とする請求項１に記載の快適バンド。
【請求項３】
前記収納ポケットは、前記ゴム入り布バンドに伸縮性のメッシュ地を縫着して形成され、ゴム入り布バンドの伸縮動作に追随して伸縮することを特徴とする請求項１または請求項２に記載の快適バンド。
【請求項４】
前記低放射性のマイナスイオン発生シートは、多数の透孔を列設した透孔性組織を有することを特徴とする請求項１ないし請求項３のいずれか１項に記載の快適バンド。
【考案の詳細な説明】
【技術分野】
【０００１】
本考案は、低線量の放射線とマイナスイオンを発生させる機能を有する低放射性のマイナスイオン発生シートを備え、これを伸縮性のゴム入り布バンドによって身体の胴部に当てて保持することによって、腰部軽快効果、温感効果、身体機能活性化効果、自然治癒力増強効果等の快適効果を得られるように工夫した快適バンドに関する。
【背景技術】
【０００２】
長時間の着座姿勢を余儀なくされる職業に従事する場合や、腰に強いストレスが加わる種類のスポーツを愛好する人には、腰部に慢性的な不快感を覚える人が少なからず存在する。腰部の不快感の内容は人それぞれであるが、基本的な症状は、年間を通じての疼痛感と冬季における冷えであるといえる。直立２足歩行を基本とする生活活動に必要な身体動作において腰部を使用しないで足りる活動は皆無であり、腰部の不快感は、日常生活全体を不愉快なものとしてしまう深刻な要素を持っている。
【０００３】
腰部の不快感は、その症状にかかわらず原因を明確に把握することが困難な場合も少なくない。例えば、相当な疼痛を訴える場合において、腰部レントゲン撮影をしても何らの異常も発見されない場合が殆どである。異常が発見される場合には、その異常を是正する方向での具体的な治療計画を策定することが可能であるが、異常が発見されない場合には、どのような処置をすべきかはにわかには判断しがたい。したがって、この場合における処置は、試行錯誤的な処置とならざるを得ない。例えば、試みに患部を冷やして様子を見る。遠赤外線を照射して血行を促して様子を見る。温湿布をしてみる。マッサージを試みる。腰椎を牽引処置してみる等である。そして、これらの処置のいずれが奏効したのかよく分からないうちに症状が徐々に改善するというのが多くの現実である。
【０００４】
腰部の不快症状に対する試行錯誤的な処置例に鑑みるに、試行錯誤的な処置のいずれかが特効的に奏効したというよりは、何種類かの処置が相乗的に奏効したと考える方が妥当である。しかし、腰部の不快症状に関しては、専門医においても明確に原因を特定することができない場合が多いことから、日常生活に支障をきたすような重篤な症状でない限り、自宅療法で対処する人が大部分である。したがって、自宅で適当な処置をするための処置用品が腰部に不快感を有する多くの人によって切望されるとともに、このような要望に対して、従来、温または冷湿布薬を含む貼り薬、塗り薬、腰部マッサージ器、腰部の姿勢を維持するコルセット、遠赤外線照射器等の処置用品が提供されている。
【考案の開示】
【考案が解決しようとする課題】
【０００５】
従来提供されているこれらの処置用品は、特定の一種類の刺激を加えることを目的とするするものであり、実際には、これらの処置用品の何種類かを併用しないと不快症状から逃れられないのが現実である。何種類もの処置用品を併用しなければならないことは、利用者にとっては、煩雑で費用負担も大きいという問題がある。
【０００６】
本考案は、本願の出願人らの先の特許出願に係る低放射性のマイナスイオン発生材（特願２００４−００９９８１号）の物理的な特性が上記問題を解決するための手段として極めて好適であることに着目し、この組成物を利用することによって、複数種類の刺激を同時に腰部に作用させることができる快適バンドを提供することを目的とする。
【０００７】
なお、本願の出願人らの先願に係るこの組成物は、低線量の放射線、遠赤外線およびマイナスイオンを発生する機能を有する。放射線に関しては、人体に害を及ぼさない程度の微弱な放射線を浴びることが、放射線ホルミシス効果として、細胞レベルから人体の代謝作用を活性化し、自然治癒力等を向上させるという研究に基づくものであり、さらに、放射線との相乗効果を図るべく、既に各種の快適効果を奏することが知られているところのマイナスイオンおよび遠赤外線発生物質を併せて使用するものである。
【課題を解決するための手段】
【０００８】
この目的を達成するための手段として、本考案は、次のような構成を採用する。
【０００９】
本考案に係る快適バンドは、身体の胴部に巻き付ける伸縮性のゴム入り布バンドと、ゴム入り布バンドの両端部に縫着する面ファスナと、ゴム入り布バンドの中間部に形成する収納ポケットと、低放射性のマイナスイオン発生組成物を含有しこの収納ポケットに収納される低放射性のマイナスイオン発生シートとを備えてなり、低放射性のマイナスイオン発生シートに含まれるところの低放射性のマイナスイオン発生組成物は、珪素系のセラミックス１００重量部と１０〜３０重量部の放射性希土類元素含有鉱物との混合物からなり、
また、低放射性のマイナスイオン発生シートは、可撓性の樹脂ベース１００重量部に対して、２０〜３０重量部の割合で低放射性のマイナスイオン発生組成物を含有し、ゴム入り布バンドは、身体の胴部に巻き付けた上、面ファスナでゴム入り布バンドの両端を連結することにより、収納ポケットに収納した低放射性のマイナスイオン発生シートを身体の胴部の任意の部位に保持可能とすることを特徴とする。
【００１０】
このような構成を有する快適バンドは、収納ポケットに収納した低放射性のマイナスイオン発生シートを身体の胴部の所望の部位に位置決めしてゴム入り布バンドの両端を面ファスナで連結することによりその身体部位に保持することができる。この際、ゴム入り布バンドの伸縮性により、身体活動を不必要に阻害することがない。また、必要に応じては、ゴム入り布バンドを強く締め付けることのより、特定の身体部位を拘束し、コルセットの機能を発揮させることもできる。そして、身体の特定の部位に保持された低放射性のマイナスイオン発生シートは、低線量の放射線、遠赤外線およびマイナスイオンを発生し、それぞれの有する快適効果と、これらが相乗して身体に作用することによる総合的な快適効果を身体に及ぼすことができる。なお、放射線は、低放射性のマイナスイオン発生シートに含まれるマイナスイオン発生組成物の組成成分である放射性希土類元素含有鉱物から発生し、遠赤外線及びマイナスイオンは、同じくマイナスイオン発生組成物を組成する珪素系のセラミックスから発生する。
【００１１】
本考案に係る快適バンドにおけるゴム入り布バンドには、所定間隔で長手方向のゴム糸を省略することによって平行なライン状の通気帯を形成してなる高通気性のゴム入り布バンドを用いることができる。
【００１２】
ゴム入り布バンドに通気帯を形成することによって汗疹等の発汗性湿疹を防止することができるので、高温多湿の夏場においても快適な使用が可能となる。また、通気帯は、ゴム入り布バンドを形成している長手方向のゴム糸を省略することによって形成するので、各通気帯の幅とゴム入り布バンドに形成する通気帯の数を変化させることによって、ゴム入り布バンドの伸縮力を調節することができる。この結果、ゴム入り布バンドをコルセットとしての機能を発揮させるのに必要な広幅に形成する場合においても、強すぎない快適な伸縮性を実現することができる。
【００１３】
快適バンドのゴム入り布バンドに設ける収納ポケットは、ゴム入り布バンドに伸縮性のメッシュ地を縫着する手段によって形成し、ゴム入り布バンドの伸縮動作に追随して伸縮するものとすることができる。
【００１４】
この結果、ゴム入り布バンドにおける収納ポケットの部分が部分的に伸縮性を失うような不都合が生じないので、大面積の低放射性のマイナスイオン発生シートを収納することができる大きな収納ポケットを設けることが可能になる。
【００１５】
快適バンドにおける低放射性のマイナスイオン発生シートは、多数の透孔を列設した透孔性組織を有するものとすることができる。
【００１６】
透孔を形成した透孔性組織とすることによって通気性および肌触り感が改善される。低放射性のマイナスイオン発生シートから発生する放射線量、遠赤外線量、マイナスイオン量は減少するが、これらの減少量は、低放射性のマイナスイオン発生シートの全体面積を増加することによって簡単に補充することができる。
【考案の効果】
【００１７】
本考案に係る快適バンドは、珪素系のセラミックスと放射性希土類元素含有鉱物を含む低放射性のマイナスイオン発生シートを伸縮性のゴム入り布バンドによって身体の胴部に巻き付け、身体に胴部の任意の部位に保持可能としたことによって、珪素系のセラミックスと放射性希土類元素含有鉱物から発生する遠赤外線とマイナスイオンと放射線とによって、身体の胴部、特に腰部に遠赤外線および放射線に基づく直接的な快適効果を及ぼし、腰部軽快感や疲労回復感等をもたらすとともに、胴部周辺の雰囲気にマイナスイオンを作用させ、精神的な爽快感をもたらすことができるという効果を奏する。
【考案を実施するための最良の形態】
【００１８】
以下、図面を引用しながら本考案に係る快適バンドの実施の形態を説明する。
【００１９】
快適バンド１００は、身体Ｍの胴部Ｍ１に巻き付けるようにして使用する伸縮性のゴム入り布バンド１０と、ゴム入り布バンド１０の両端部に縫着する面ファスナ１１，１２と、ゴム入り布バンド１０の中間部に形成する収納ポケット１３と、収納ポケット１３に収納する低放射性のマイナスイオン発生シート２０とからなる（図１ないし図３）。
【００２０】
ゴム入り布バンド１０は、長手方向Ａを構成する糸にゴム入りの糸を織り込んだ織り地からなり、長手方向Ａにのみ伸縮性を有する。ゴム入り布バンド１０には、面ファスナ１１の部分を除き、その全長に及んで、幅方向Ｂに所定間隔を保って長手方向Ａに向けて並走する状態で複数本の通気帯１４，１４…が設けられ、高度の通気性を有する。
【００２１】
ゴム入り布バンド１０における各通気帯１４は、部分的に長手方向Ａを構成するゴム入りの糸を省略することによって形成され、通気性を確保することの他、ゴム入り布バンド１０の伸縮力を調節する機能を担っている。すなわち、ゴム入り布バンド１０の伸縮力は、略その幅寸法に比例して変化するところ、本考案の用途との関連において必要なゴム入り布バンド１０の幅寸法を確保した場合において、その伸縮力が過大となることが生じる。このような場合に、ゴム入りの糸を部分的に省略した通気帯１４を設けることによってゴム入り布バンド１０の実質的な幅寸法を減らし、その伸縮力を快適な範囲に調節することができるのである。
【００２２】
ゴム入り布バンド１０の両端部に取り付けられた面ファスナ１１，１２は、いずれか一方が、鈎形繊維の表面組織を有するとともに、他方がループ形繊維の表面組織を有し、両者の絡み付きによって所定の結合力を発揮するようにした公知の結合メカニズムを有するものであるが、ベースとなっている地の部分は、ゴム糸を織り込んだ伸縮性を有するのもが採用され、面ファスナ１１，１２自体についても伸縮性を発揮するものとなっている。そして、一方の面ファスナ１１は、ゴム入り布バンド１０の長手方向を延長する態様で縫合接続され、他方の面ファスナ１２は、ゴム入り布バンド１０の他端に重ねて縫合されている。
【００２３】
ゴム入り布バンド１０の中間部には、低放射性のマイナスイオン発生シート２０を収納するための収納ポケット１３が形成されている（図１，図２）。収納ポケット１３は、ゴム入り布バンド１０に長方形の外形に裁断した伸縮性のメッシュ地１３Ａの周囲を縫着することによって形成され、ゴム入り布バンド１０の伸縮動作に追随して伸縮することができる。これは、収納ポケット１３を設けることによってゴム入り布バンド１０の伸縮性が部分的に失われるのを防止する趣旨である。
【００２４】
収納ポケット１３の内部には、収納ポケット１３の外形より一回り小さな長方形に裁断したシート状の低放射性のマイナスイオン発生シート２０が収納されている（図２）。低放射性のマイナスイオン発生シート２０は、汎用の樹脂材料から適宜に選択することが可能な、例えばポリエチレン樹脂等の樹脂ベースに低放射性のマイナスイオン発生組成物を練り込み、仕上がり状態において人肌程度である軟質のシートに成形したものである。なお、低放射性のマイナスイオン発生シート２０の成形に際しては、適宜の工程で発泡化剤が添加され、低放射性のマイナスイオン発生シート２０は、多孔質組織を有している。また、これとは別に、低放射性のマイナスイオン発生シート２０は、その厚みを貫通する多数の透孔Ｈ，Ｈ…がパンチ加工されることによって、全体として適度の通気性を発揮する透孔性組織を有している。
【００２５】
樹脂ベースに練り込まれている低放射性のマイナスイオン発生組成物は、珪素系のセラミックス１００重量部と１０〜３０重量部の放射性希土類元素含有鉱物との混合物からなり、この混合物は、樹脂ベースに対して２０〜３０重量部の割合で練り込まれている。この混合物を組成している放射性希土類元素含有鉱物には、モナザイト鉱石の微粉末を用いられ、珪素系のセラミックスには、市販に供されているセライオン粉末（ライアップ社製）やカイヤセラー粉末（日本化薬製）がそのまま利用されている。これらの物質は、それぞれ、低線量の適度の放射線を発生する物質として、マイナスイオンを効率良く発生する物質として知られている。
【００２６】
上記組成からなる低放射性のマイナスイオン発生シート２０は、ゴム入り布バンド１０に収納ポケット１３を縫着するときに両者間に装填される。この際、低放射性のマイナスイオン発生シート２０は、その中央位置の一箇所をゴム入り布バンド１０の幅方向Ｂに向けて直線状に縫着される。すなわち、ゴム入り布バンド１０の伸縮性を損なうことなく低放射性のマイナスイオン発生シート２０を位置決めする趣旨である。
【００２７】
このような形態に係る快適バンド１００は、ゴム入り布バンド１０を身体Ｍの胴部Ｍ１に巻き付け、面ファスナ１１，１２を利用してその両端を連結することにより（図３）、収納ポケット１３に収納した低放射性のマイナスイオン発生シート２０を身体Ｍの胴部Ｍ１の任意の部位に継続的に保持し、低放射性のマイナスイオン発生シート２０から発生する放射線とマイナスイオンと遠赤外線とによる、放射線ホルミシス効果とマイナスイオン効果と遠赤外線効果を身体Ｍに作用させることができる他、ゴム入り布バンド１０の幅寸法を広く設定するとともに、その伸縮力を強めに設定することにより、腰椎の姿勢を保持するコルセット効果をも発揮することができる。
【００２８】
図３は、収納ポケット１３の低放射性のマイナスイオン発生シート２０を腰椎に対応させた場合の使用状態を示しているが、低放射性のマイナスイオン発生シート２０を身体Ｍの腹側として使用することもできる。実感されるところの放射線ホルミシス効果とマイナスイオン効果と遠赤外線効果の内容は、身体Ｍの部位によって異なるが、腰椎側においては、腰部軽快感、温暖感、疲労回復感等を実感することができる。また、腹側においては、腹部爽快感、温暖感等を実感することができる。なお、快適バンド１００は、下着の下に使用しても下着の上に使用してもよい。
【００２９】
収納ポケット１３に収納する低放射性のマイナスイオン発生シート２０は、単純なシート状に限らず、収納ポケット１３に収納可能である範囲で立体的な形状を採用することができる（図４，図５）。
【００３０】
図４に示す低放射性のマイナスイオン発生シート２０は、多数の透孔Ｈ，Ｈ…を形成したベースシート２１の四方に丘状の膨出部２２，２２…を均等に振り分けて配置したものである。この形態の低放射性のマイナスイオン発生シート２０は、腰椎を挟んで各２個の膨出部２２，２２を背筋に対応させるように位置決めして使用することを予定したものであり、特に、椅子に腰掛けたときに４個の膨出部２２，２２…によって背筋に対して指圧効果を及ぼすことができる。
【００３１】
同様の指圧効果は、図５に示すような形態の低放射性のマイナスイオン発生シート２０によっても奏することができる。この低放射性のマイナスイオン発生シート２０は、ベースシート２１の左右に使用状態において腰椎を挟んで位置することとなる一対の大きな膨出部２２，２２を形成したものである。この一対の膨出部２２，２２は、より膨出量の小さな膨出部２３によって円滑につながる形状とされている。なお、膨出部２２を有する低放射性のマイナスイオン発生シート２０は、押出し成形することができないので、型成形によって製造される。膨出部２２による指圧効果は、小さな膨出部２２を数多く設ける場合に希薄となり、大きな膨出部２２を少なく設ける場合に顕著となる。ただし、使用上の異物感は強くなる。
【図面の簡単な説明】
【００３２】
【図１】快適バンドの実施の形態を示す斜視図である。
【図２】快適バンドの実施の形態を示す要部の分解斜視図である。
【図３】快適バンドの使用状態を示す斜視図である。
【図４】快適バンドに使用する低放射性のマイナスイオン発生シートの他の実施の形態を示す斜視図である。
【図５】快適バンドに使用する低放射性のマイナスイオン発生シートの他の実施の形態を示す斜視図である。
【符号の説明】
【００３３】
１００    快適バンド
Ｍ        身体
Ｍ１      胴部
Ａ        長手方向
Ｂ        幅方向
１０      ゴム入り布バンド
１１      面ファスナ
１２      面ファスナ
１４      通気帯
２０      低放射性のマイナスイオン発生シート
【図１】
0003109707.tif 000003
【図２】
0003109707.tif 000004
【図３】
0003109707.tif 000005
【図４】
0003109707.tif 000006
【図５】
0003109707.tif 000007